(57)【要約】【課題】  緩み止め力の極めて大きい、ネジを利用した締結部品を提供する。【解決手段】  オネジ１０の側面Ｓに１つ又は２つの凹みＣＡ１が形成され、その凹みＣＡ１に、前記オネジ１０の軸Ａｘに平行に嵌め込まれる可撓性直線部分Ｌを含む緩み防止体２０の一部が前記オネジ１０に留められ、しかも前記凹みＣＡ１を形成する、前記オネジ１０の軸Ａｘに平行な凹面Ｐ１の一部が、そのオネジ１０の谷の内側からそのオネジ１０の締め付け方向ＦＡ、外に向って延び、前記緩み防止体２０の直線部分Ｌと前記オネジ１０の軸Ａｘとを含む平面Ｐａ上、前記オネジ１０の谷のすぐ内側を経て前記側面Ｓと鋭角的に交わっている。【選択図】    図１
2005172208.tif 000002
【特許請求の範囲】
【請求項１】
オネジ（１０ょの側面（Ｓ）に１つ又は２つの凹み（ＣＡ１）が形成され、その凹み（ＣＡ１）に、前記オネジ（１０）の軸（Ａｘ）に平行に嵌め込まれる可撓性直線部分（Ｌ）を含む緩み防止体（２０）の一部が前記オネジ（１０）に留められ、しかも前記凹み（ＣＡ１）を形成する、前記オネジ（１０）の軸（Ａｘ）に平行な凹面（Ｐ１）の一部が、そのオネジ（１０）の谷の内側からそのオネジ（１０）の締め付け方向（ＦＡ）、外に向って延び、前記緩み防止体（２０）の直線部分（Ｌ）と前記オネジ（１０）の軸（Ａｘ）とを含む平面（Ｐａ）上、前記オネジ（１０）の谷のすぐ内側を経て前記側面（Ｓ）と鋭角的に交わっている
ことを特徴とする、ネジを利用した締結部品構造。
【請求項２】
前記一対の凹み（ＣＡ１，ＣＡ１）が前記オネジ（１０）の軸（Ａｘ）に線対称に配置され、その凹み（ＣＡ１，ＣＡ１）を繋ぐよう、前記オネジ（１０）の先端面（Ｆ１）に凹溝（１１）が形成されると共に、前記緩み防止体（２０）がコの字状に形成されている
ことを特徴とする請求項１に記載の、ネジを利用した締結部品構造。
【請求項３】
メネジ（５０）の内面に１つ又は２つの凹み（ＣＡ５）が形成され、その凹み（ＣＡ５）内に前記メネジ（５０）の前記軸（Ａｘ）に平行に嵌め込まれる可撓性直線部分（Ｌ）を含む緩み防止体（６０）の一部が前記メネジ（５０）に留められ、しかも前記凹み（ＣＡ５）を形成する、前記メネジ（５０）の軸（Ａｘ）に平行な凹面（Ｐ５）の一部が、そのメネジ（５０）の谷の外側からそのメネジ（５０）の締め付け方向（ＦＡ）、内に向って延び、前記緩み防止体（６０）の直線部分（Ｌ）と前記メネジ（５０）の軸（Ａｘ）とを含む平面（Ｐａ）上、前記メネジ（５０）の谷のすぐ外側を経て前記内面（Ｉ）と鋭角的に交わっている
ことを特徴とする、ネジを利用した締結部品構造。
【請求項４】
前記メネジ（５０）の一端面（Ｆ５）側の内面（Ｉ）がその軸（Ａｘ）を中心に円形に欠き取られることによって、そのメネジ（５０）の谷の外側に外周を有する、浅い環状段差（Ｒ）が形成され、さらにその環状段差（Ｒ）の奥、前記メネジ（５０）の内面（Ｉ）に前記一対の凹み（ＣＡ５，ＣＡ５）がそのメネジ（５０）の軸（Ａｘ）に線対称に配置され、前記緩み防止体（６０）は、その両端の直線部分（Ｌ）を除いて、環状に巻かれており、その残りの両端の直線部分（Ｌ）が、前記一対の凹み（ＣＡ５，ＣＡ５）内に前記軸（Ａｘ）に平行に嵌め込まれると共に、前記環状に巻かれた部分が前記環状段差（Ｒ）内に嵌め込まれることによって前記メネジ（５０）に留められることを
特徴とする請求項３に記載の、ネジを利用した締結部品構造。
【発明の詳細な説明】
【技術分野】
【０００１】  本発明は、メネジ又はオネジよりなるネジを利用した締結部品であって、対応するオネジ又はメネジへの締結が、振動その他の外力を受けて逆回転し、緩むことがないよう構成されたものに関する。
【背景技術】
【０００２】  従来、ねじの緩み止め手段として、二重ナット（例えばロックナット）、ピン、小ねじ、座金によるものやこれらのいずれかの組み合わせによるもの等多くのものが提案され、使用されている（例えば非特許文献１）。【０００３】  しかしながら、いずれもナット又はボルトの頭部が固定されるものであって、メネジに締結されたボルトのシャンク自身を緩まないよう固定するものは見当たらない。また、前記ナット又はボルトの頭部が固定されるものも、緩み止め（ロック）力が低いか、又は構造が複雑であるか、ボルトのシャンクの孔の位置が決まっていて、所望の締結力が得られない等種々の問題点がある。【０００４】
【非特許文献１】      理工学社：ＪＩＳにもとづく機械設計製図便覧（８−６９，７０）
【０００５】
【発明の開示】
【発明が解決しようとする課題】
【０００６】  以上のことから、本発明は、上記した従来技術の欠点を除くために、オネジ又はメネジの形状の軽微な変更と湾曲容易な線状部材とが組み合わされるだけの、製作容易、構造単純、安価なものであって、しかも緩み止め力の極めて大きい、ネジを利用した締結部品を提供することにある。
【課題を解決するための手段】
【０００７】  上記の目的を達するために、請求項１の発明のネジを利用した締結部品は、オネジ１０の側面Ｓに１つ又は２つの凹みＣＡ１が形成され、その凹みＣＡ１に、前記オネジ１０の軸Ａｘに平行に嵌め込まれる可撓性直線部分Ｌを含む緩み防止体２０の一部が前記オネジ１０に留められ、しかも前記凹みＣＡ１を形成する、前記オネジ１０の軸Ａｘに平行な凹面Ｐ１の一部が、そのオネジ１０の谷の内側からそのオネジ１０の締め付け方向ＦＡ、外に向って延び、前記緩み防止体２０の直線部分Ｌと前記オネジ１０の軸Ａｘとを含む平面Ｐａ上、前記オネジ１０の谷のすぐ内側を経て前記側面Ｓと鋭角的に交わっている。
なお、「鋭角」は、厳密には、平面同士、直線同士、平面と直線とが交わる場合のその挟角について使用されるものであるが、それを曲面や曲線にまで拡大適用されるよう、簡略に「鋭角的」と表現した。厳密には交点又は交線における接線や接平面等の挟角に対するものと理解されたい（以下同様）。【０００８】  請求項２の発明は、請求項１の発明に記載の構成に加えて、前記一対の凹みＣＡ１，ＣＡ１が前記オネジ１０の軸Ａｘに線対称に配置され、その凹みＣＡ１，ＣＡ１を繋ぐよう、前記オネジ１０の先端面Ｆ１に凹溝１１が形成されると共に、前記緩み防止体２０がコの字状に形成されている。【０００９】  請求項３の発明のネジを利用した締結部品は、メネジ５０の内面に１つ又は２つの凹みＣＡ５が形成され、その凹みＣＡ５内に前記メネジ５０の前記軸Ａｘに平行に嵌め込まれる可撓性直線部分Ｌを含む緩み防止体６０の一部が前記メネジ５０に留められ、しかも前記凹みＣＡ５を形成する、前記メネジ５０の軸Ａｘに平行な凹面Ｐ５の一部が、そのメネジ５０の谷の外側からそのメネジ５０の締め付け方向ＦＡ、内に向って延び、前記緩み防止体６０の直線部分Ｌと前記メネジ５０の軸Ａｘとを含む平面Ｐａ上、前記メネジ５０の谷のすぐ外側を経て前記内面Ｉと鋭角的に交わっている。【００１０】  請求項４の発明は、請求項３の発明に記載の構成に加えて、前記メネジ５０の一端面Ｆ５側の内面Ｉがその軸Ａｘを中心に円形に欠き取られることによって、そのメネジ５０の谷の外側に外周を有する、浅い環状段差Ｒが形成され、さらにその環状段差Ｒの奥、前記メネジ５０の内面Ｉに前記一対の凹みＣＡ５，ＣＡ５がそのメネジ５０の軸Ａｘに線対称に配置され、前記緩み防止体６０は、その両端の直線部分Ｌを除いて、環状に巻かれており、その残りの両端の直線部分Ｌが、前記一対の凹みＣＡ５，ＣＡ５内に前記軸Ａｘに平行に嵌め込まれると共に、前記環状に巻かれた部分が前記環状段差Ｒ内に嵌め込まれることによって前記メネジ５０に留められる。
【発明の効果】
【００１１】  請求項１の発明によれば、前記凹みＣＡ１は従来のオネジにも容易に形成可能であり、また、可撓性直線部分Ｌを含む緩み防止体２０もオネジ１０への留め構造さえ簡単であれば、容易に形成、組付け可能であるため、いずれも安価に製作可能である。しかも、前記オネジ１０が対応するメネジにねじ込まれ、締め付けられると、前記緩み防止体２０の、前記各凹みＣＡ１内に嵌合された直線部分Ｌは、前記メネジの山との摩擦によって、前記オネジ１０の締め付け方向ＦＡとは反対に回り、前記メネジの山と前記凹面Ｐ１との間が拡がった部分に移動しようとするため、そのオネジ１０の締め付けには何ら支障を生じない。【００１２】  他方、振動・衝撃等によって、そのオネジ１０を緩める方向に回す力が作用すると、緩み防止体２０の、各凹みＣＡ１内に嵌合された直線部分Ｌは、前記メネジ５０の山との摩擦によって、その力に抗すると共に、前記オネジ１０の緩め方向とは反対の締め付け方向ＦＡに回ろうとして、前記メネジの山と，各凹みＣＡ１を構成する凹面Ｐ１と，に挟まれた鋭角部分に追い込まれるため、その緩み防止体２０の直線部分Ｌの、前記オネジ１０の緩め方向に対する摩擦力が増大し、その緩みが食い止められる。なお、オネジ１０の緩み抑止力は、前記緩み防止体２０の直線部分Ｌの強度に依存し、それが破断するまで維持される。【００１３】  請求項２の発明によれば、請求項１の発明に記載の効果に加えて、緩み防止体２０はコの字状に形成されており、極めて単純である。また、緩み防止体２０が留められる凹溝１１も直線状であって極めて単純である。従って安価に製作可能であり、コスト負担は軽微である。しかも締結時には、いずれも外からは見えず、外観に優れている。【００１４】  請求項３の発明によれば、前記凹みＣＡ５は従来のメネジにも容易に形成可能であり、また、前記可撓性直線部分Ｌを含む緩み防止体６０も前記メネジ５０への留め構造さえ簡単であれば、容易に形成、組付け可能であり、従って安価に製作可能である。しかも、前記メネジ５０がオネジにねじ込まれ、締め付けられると、前記緩み防止体２０の、前記各凹みＣＡ１内に嵌合された直線部分Ｌは、前記オネジの山との摩擦によって、前記メネジ５０の締め付け方向ＦＡとは反対に回り、そのオネジの山と前記凹面Ｐ１との間が拡がった部分に移動しようとするため、そのメネジ５０の締め付けには何ら支障を生じない。【００１５】  他方、振動・衝撃等によって、そのメネジ５０を前記オネジに対して緩める方向に回す力が作用すると、前記緩み防止体６０の、各凹みＣＡ５内に嵌合された直線部分Ｌは、前記オネジの山との摩擦によって、その力に抗すると共に、前記メネジ５０の緩め方向とは反対の締め付け方向ＦＡに回ろうとして、前記オネジの山と，各凹みＣＡ５を構成する凹面Ｐ５と，に挟まれた鋭角部分に追い込まれるため、その緩み防止体６０の、前記メネジ５０の緩め方向に対する摩擦力が増大し、その緩みが食い止められる。なお、メネジ５０の緩み抑止力は、前記緩み防止体６０の直線部分Ｌの強度に依存し、それが破断するまで維持される。【００１６】  請求項４の発明によれば、請求項３の発明に記載の効果に加えて、緩み防止体６０は両端の直線部分Ｌを除いて環状に巻かれており、極めて単純である。また、緩み防止体６０を留めるための環状段差Ｒも極めて単純である。従って安価に製作可能であり、コスト負担は軽微である。しかも締結時には、いずれも外からは見えず、外観に優れている。
【発明を実施するため最良の形態】
【００１７】    本発明のネジを利用した締結部品を実施するための第１の形態例について図１により説明すると、オネジ（例えばボルト）に関するものであって、その（ａ）はメネジに締結された状態を示す縦断面図、（ｂ）は（ａ）のＸ−Ｘ断面図、（ｃ），（ｄ）はそれぞれ締結前の状態を示す正面図、部分側面図である。
【００１８】  先ず、その基本構成について説明すると、オネジ１０の側面Ｓに１つ又は２つ（図では２つ）の凹みＣＡ１が形成され、その凹みＣＡ１に、前記オネジ１０の軸Ａｘに平行に嵌め込まれる可撓性直線部分Ｌを含む緩み防止体２０の一部が前記オネジ１０に留められている。しかも前記各凹みＣＡ１を形成する、前記オネジ１０の軸Ａｘに平行な凹面Ｐ１の一部は、（ｂ）に示すように、そのオネジ１０の谷の内側からそのオネジ１０の締め付け方向ＦＡ、外に向って延び、前記緩み防止体２０の直線部分Ｌと前記オネジ１０の軸Ａｘとを含む平面Ｐａ上、前記オネジ１０の谷のすぐ内側を経て前記側面Ｓと鋭角的に交わっている。なお、１５はオネジ１０の頭である。
【００１９】  そのうえ、前記凹みＣＡ１，ＣＡ１は、（ｂ）に示すように、前記オネジ１０の軸Ａｘに線対称に配置され、その凹みＣＡ１，ＣＡ１を繋ぐよう、前記オネジ１０の先端面Ｆ１に凹溝１１が形成されている。なお、前記緩み防止体２０は、（ｄ）に示すように、コの字状に形成されていて、その凹みＣＡ１，ＣＡにそれぞれ直線部分Ｌ，Ｌが前記オネジ１０の軸Ａｘに平行に嵌め込まれることによって、前記凹溝１１にその繋ぎ部分が嵌め込まれ、そのオネジ１０に留められるよう構成されている。
【００２０】  しかし、前記凹みＣＡ１は、図ではその凹面Ｐ１の一部は側面Ｓと鋭角的に、残りの部部が側面Ｓと垂直に、それぞれ交差したものになっているが、上記構成は本発明の一例に過ぎず、例えば全体が単純な凹曲面（例えば断面円弧状）であっても差し支えないし、また、凹みＣＡ１が一つだけで、単純にＬ字状に形成された緩み防止体２０の一辺が、前記凹溝１１やオネジ１０の半径方向に穿けられた孔に嵌め込まれることによって留められるようなものでもよい（以上全て図示省略）。
【００２１】  その他、（ｃ）に示すように、前記直線部分Ｌの先端が前記各凹みＣＡ１と側面Ｓとが鋭角的に交わる部分に向って誘導されるよう、前記凹溝１１の深さは、前記緩み防止体２０がオネジ１０の軸Ａｘに平行な方向に可動に、それを構成する線状体の太さよりも大きく形成されていると共に、その凹みＣＡ１の、前記オネジ１０の先端面Ｆ１とは反対側の部分の横断面が、その先端面Ｆ１から遠ざかるに従って、前記凹面Ｐ１が側面Ｓと鋭角的に交わる交線ＬＬに向って縮小、収束するよう先細に形成されることは、好ましいことである。
【００２２】  作用について説明すると、前記オネジ１０が、（ａ）に示すように、平板２００が重ねられた締結相手部材の、対応するメネジ１５０にねじ込まれ、締め付けられると、前記緩み防止体２０の、前記各凹みＣＡ１内に嵌合された直線部分Ｌは、前記メネジの山との摩擦によって、前記オネジ１０の締め付け方向ＦＡとは反対の方向に回り、前記メネジの山と前記凹面Ｐ１との間が拡がった部分に移動しようとするため、そのオネジ１０の締め付けには何ら支障を生じない。
【００２３】  他方、振動・衝撃等によって、オネジ１０をメネジ１５０に対して緩める方向に回す力が作用すると、緩み防止体２０の、各凹みＣＡ１内に嵌合された直線部分Ｌは、前記メネジ１５０の山との摩擦によって、その力に抗すると共に、前記オネジ１０の緩め方向とは反対の締め付け方向ＦＡに回ろうとして、前記メネジ１５０の山と，各凹みＣＡ１を構成する凹面Ｐ１と，に挟まれた鋭角部分に追い込まれるため、その緩み防止体２０の直線部分Ｌの、前記オネジ１０の緩め方向に対する摩擦力が増大し、その緩みが食い止められる。なお、オネジ１０に対する緩み抑止力は、前記緩み防止体２０の直線部分Ｌの強度に依存し、それが破断するまで維持される。
【００２４】  上述のように、前記凹みＣＡ１は従来のどのオネジにも容易に形成可能であり、また、前記緩み防止体２０も可撓性線状体がコの字状に形成されたものであって、極めて単純である。また、緩み防止体２０を留める凹溝１１も直線状であって極めて単純である。従ってオネジ１０、緩み防止体２０共に安価に製作可能であり、コスト負担は軽微である。しかも締結時には、いずれも外からは見えず、外観に優れている。
【００２５】  本発明を実施するための第２の形態例について図２により説明すると、メネジ（例えばナット）に関するものであって、その（ａ）はその縦断面図、（ｂ）は（ａ）のＹ−Ｙ断面図、（ｃ），（ｄ）はそれぞれオネジ締結後の互いに垂直な方向の縦断面図である。
【００２６】  その基本構成について説明すると、メネジ５０の内面に１つ又は２つ（図では２つ）の凹みＣＡ５が形成され、そのメネジ５０には、前記凹みＣＡ５内にメネジ５０の軸Ａｘに平行に嵌め込まれた可撓性直線部分Ｌを含む緩み防止体６０の一部が留められている。しかも、（ｂ）に示すように、前記凹みＣＡ５を形成する、前記軸Ａｘに平行な凹面Ｐ５の一部が、そのメネジ５０の谷の外側からそのメネジ５０の締め付け方向ＦＡ、内に向って延び、前記緩み防止体６０の直線部分Ｌと前記メネジ５０の軸Ａｘとを含む平面Ｐａ上、前記メネジ５０の谷のすぐ外側を経て前記内面Ｉと鋭角的に交わっている。
【００２７】  詳細説明すると、前記メネジ５０の一端面Ｆ５側の内面Ｉがその軸Ａｘを中心に円形に欠き取られることによって、そのメネジ５０の谷の外側に外周を有する、浅い環状段差Ｒが形成される。さらにその環状段差Ｒの奥、前記メネジ５０の内面Ｉには、（ｂ）に示すように、前記一対の凹みＣＡ５，ＣＡ５が前記軸Ａｘに線対称に配置されている。また、前記緩み防止体６０は、（ａ）に示すように、その両端の直線部分Ｌを除いて、環状に巻かれており、その残りの両端の直線部分Ｌが、（ｃ），（ｄ）に示すように、前記一対の凹みＣＡ５，ＣＡ５内に前記軸Ａｘに平行に嵌め込まれると共に、前記環状に巻かれた部分が前記環状段差Ｒ内に嵌め込まれることによって前記メネジ５０に留められている。
【００２８】  しかし、前記凹みＣＡ５は、図では凹面Ｐ５の一部の曲面部分が内面Ｉと鋭角的に、残りの平面部分が内面Ｉと垂直にそれぞれ交差するよう形成されているが、上記構成は本発明の一つの例に過ぎず、全体が単純な凹曲面（例えば断面円弧状）であっても差し支えないし、また、凹みＣＡ５が一つだけで、緩み防止体６０が１つの直線部分Ｌを有するものであってもよい（以上全て図示省略）。
【００２９】  その他、（ｄ）に示すように、前記直線部分Ｌの先端が前記各凹みＣＡ５と内面Ｉとが鋭角的に交わる部分に向って誘導されるよう、環状に巻かれた部分がスプリング様に伸縮可能である共に、その凹みＣＡ５の奥の部分の横断面が、その端面Ｆ５から遠ざかるに従って、前記凹面Ｐ５が内面Ｉと鋭角的に交わる交線ＬＬに向って縮小、収束するよう先細に形成されることは、好ましいことである。
【００３０】  作用について説明すると、（ｃ），（ｄ）に示すように、前記メネジ５０が、締結相手部材から突出した、対応するオネジ１１０にワッシャＷを介してねじ込まれ、締め付けられると、前記緩み防止体２０の、前記各凹みＣＡ１内に嵌合された直線部分Ｌは、前記オネジ１１０の山との摩擦によって、前記メネジ５０の締め付け方向ＦＡとは反対に回り、前記オネジ１１０の山と前記凹面Ｐ１との間が拡がった部分に移動しようとするため、そのメネジ５０の締め付けには何ら支障を生じない。
【００３１】  他方、振動・衝撃等によって、そのメネジ５０を緩める方向に回す力が作用すると、緩み防止体６０の、各凹みＣＡ５内に嵌合された直線部分Ｌは、前記オネジ１１０の山との摩擦によって、その力に抗すると共に、前記メネジ５０の緩め方向とは反対の締め付け方向ＦＡに回ろうとして、そのオネジ１１０の山と，各凹みＣＡ５を構成する凹面Ｐ５と，に挟まれた鋭角部分に追い込まれるため、その緩み防止体６０の、前記メネジ５０の緩め方向に対する摩擦力が増大し、その緩みが食い止められる。なお、前記メネジ５０の緩み抑止力は、前記緩み防止体６０の直線部分Ｌの強度に依存し、それが破断するまで維持される。
【００３２】  上述のように、前記凹みＣＡ５は従来のメネジにも容易に形成可能であり、前記緩み防止体６０も両端の直線部分Ｌを除いて環状に巻かれているだけで、極めて単純である。また、緩み防止体６０を留める環状段差Ｒも極めて単純である。従って安価に製作可能であり、コスト負担は軽微である。しかも締結時には、いずれも外からは見えず、外観に優れている。
【図面の簡単な説明】
【００３３】
【図１】  本発明のネジを利用した締結部品を実施するための第１の最良の形態例であって、その（ａ）はメネジに締結された状態を示す縦断面図、（ｂ）は（ａ）のＸ−Ｘ断面図、（ｃ），（ｄ）はそれぞれ締結前の状態を示す正面図、部分側面図である。
【図２】  本発明を実施するための第２の最良の形態例であって、その（ａ）はその縦断面図、（ｂ）は（ａ）のＹ−Ｙ断面図、（ｃ），（ｄ）はそれぞれオネジ締結後の互いに垂直な方向の縦断面図である。
【符号の説明】
【００３４】１０    オネジ
１１    凹溝
１５    頭
２０    緩み防止体
５０    オネジ
６０    緩み防止体６０
１１０  オネジ
１５０  メネジ
２００  平板
Ａｘ    軸
ＣＡ１  凹み
ＣＡ５  凹み
Ｆ１    先端面
Ｆ５    端面
ＦＡ    締め付け方向
Ｉ      内面
Ｌ      直線部分
ＬＬ    交線
Ｐ１    凹面
Ｐ５    凹面
Ｐａ    平面
Ｓ      側面
Ｗ      ワッシャ
【図１】
2005172208.tif 000003
【図２】
2005172208.tif 000004